(57)【要約】【課題】乗物用シートベルトガイド装置の機能性を向上させること。【解決手段】シートバック２の肩口部に設けられてシートベルトウェビング６Ａを通すガイド本体１０を備えたシートベルトガイド装置５である。ガイド本体１０が、その周囲側面に形成される凹部１０Ｂと、凹部１０Ｂの形成によりガイド本体１０の頭部に膨らむ形に形成される掴み部１０Ｃと、を有する。凹部１０Ｂが、使用者により掴み部１０Ｃが掴まれた際の指の掛け入れ部とされる。【選択図】図１
2020121577.tif 000002
【特許請求の範囲】
【請求項１】
シートバックの肩口部に設けられてシートベルトウェビングを通すガイド本体を備えた乗物用シートベルトガイド装置であって、
前記ガイド本体が、
該ガイド本体の周囲側面に形成される凹部と、
該凹部の形成により前記ガイド本体の頭部に膨らむ形に形成される掴み部と、を有し、
前記凹部が、使用者により前記掴み部が掴まれた際の指の掛け入れ部とされる乗物用シートベルトガイド装置。
【請求項２】
請求項１に記載の乗物用シートベルトガイド装置であって、
前記掴み部が、前記ガイド本体の前記シートベルトウェビングの通される通し口より上側の位置に形成される乗物用シートベルトガイド装置。
【請求項３】
請求項１又は請求項２に記載の乗物用シートベルトガイド装置であって、
前記ガイド本体が、全体として略錐台状に上方へ先細り状に張り出す立体形状とされる乗物用シートベルトガイド装置。
【請求項４】
請求項１から請求項３のいずれかに記載の乗物用シートベルトガイド装置であって、
前記凹部が、前記ガイド本体のシート幅方向の外側の周囲側面にはなく、シート幅方向の内側の周囲側面、前側面、及び／又は後側面に形成される乗物用シートベルトガイド装置。
【請求項５】
請求項１から請求項４のいずれかに記載の乗物用シートベルトガイド装置であって、
更に、前記ガイド本体の内周面部に、前記シートバックの内部骨格と結合されて前記ガイド本体内に張り出す支持フレームに向かって張り出すリブを有する乗物用シートベルトガイド装置。
【請求項６】
請求項１から請求項５のいずれかに記載の乗物用シートベルトガイド装置であって、
更に、前記掴み部のシート幅方向の外側の周囲側面及び／又は天板面に、前記ガイド本体の一般外表面とは異なる外表面色を有する加飾部が設けられる乗物用シートベルトガイド装置。
【請求項７】
請求項１から請求項６のいずれかに記載の乗物用シートベルトガイド装置であって、
前記シートバックの前記ガイド本体が設けられた側の隣り合うエリアが乗員の通路とされる乗物用シートベルトガイド装置。
【発明の詳細な説明】
【技術分野】
【０００１】
本発明は、乗物用シートベルトガイド装置に関する。詳しくは、シートバックの肩口部に設けられてシートベルトウェビングを通すガイド本体を備えた乗物用シートベルトガイド装置に関する。
【背景技術】
【０００２】
従来、乗物用シートにおいて、シートバックの肩口部に、シートベルトウェビングを通すベルトガイド装置が設けられた構成が知られている（特許文献１）。上記ベルトガイド装置は、シートバック内から通されたシートベルトウェビングをシートバックの前側へと通し出すようにガイドする通し口を備えた略四角錐台形状に形成されている。
【先行技術文献】
【特許文献】
【０００３】
【特許文献１】特許第４０６８０８４号公報
【発明の概要】
【発明が解決しようとする課題】
【０００４】
上記従来技術では、シートバックのベルトガイド装置が設定された側の傍らに乗員の通路が設定されている場合、乗員が体を支えるためにベルトガイド装置のガイド本体を掴むなどしてガイド本体に擦れ等を生じさせる不測の負荷が掛けられるおそれがある。本発明は、上述した問題を解決するものとして創案されたものであって、本発明が解決しようとする課題は、乗物用シートベルトガイド装置の機能性を向上させることにある。
【課題を解決するための手段】
【０００５】
上記課題を解決するために、本発明の乗物用シートベルトガイド装置は次の手段をとる。
【０００６】
すなわち、本発明の乗物用シートベルトガイド装置は、シートバックの肩口部に設けられてシートベルトウェビングを通すガイド本体を備えた乗物用シートベルトガイド装置である。ガイド本体が、ガイド本体の周囲側面に形成される凹部と、凹部の形成によりガイド本体の頭部に膨らむ形に形成される掴み部と、を有する。凹部が、使用者により掴み部が掴まれた際の指の掛け入れ部とされる。
【０００７】
上記構成によれば、シートバックの肩口部に設けられるガイド本体の頭部に膨らみ状の掴み部が形成されることで、シートバックの傍らに立つ乗員や後部側座席に座る乗員等の使用者が、所望時に掴み部に簡便に手を届かせて、掴み部を凹部に指を掛け入れた状態としてしっかりと掴むことができる。また、掴み部をガイド本体の形状を利用して少ない部品点数で合理的に形成することができる。
【０００８】
また、本発明の乗物用シートベルトガイド装置は、次のように構成されていても良い。掴み部が、ガイド本体のシートベルトウェビングの通される通し口より上側の位置に形成される。
【０００９】
上記構成によれば、使用者が、シートベルトウェビングに触れることなく、掴み部だけを適切に掴むことができる。
【００１０】
また、本発明の乗物用シートベルトガイド装置は、次のように構成されていても良い。ガイド本体が、全体として略錐台状に上方へ先細り状に張り出す立体形状とされる。
【００１１】
上記構成によれば、掴み部をガイド本体に頭でっかちな形で設けることなく、ガイド本体の一部分を成すよう自然な先細り形状を描く形に設けることができる。
【００１２】
また、本発明の乗物用シートベルトガイド装置は、次のように構成されていても良い。凹部が、ガイド本体のシート幅方向の外側の周囲側面にはなく、シート幅方向の内側の周囲側面、前側面、及び／又は後側面に形成される。
【００１３】
上記構成によれば、使用者がシートバックの傍らに立つ位置、後斜めに立つ位置、及び／又は前斜めに立つ位置から、掴み部を凹部に適切に指を掛け入れた状態として掴むことができる。
【００１４】
また、本発明の乗物用シートベルトガイド装置は、次のように構成されていても良い。更に、ガイド本体の内周面部に、シートバックの内部骨格と結合されてガイド本体内に張り出す支持フレームに向かって張り出すリブを有する。
【００１５】
上記構成によれば、ガイド本体の内周面部に形成されるリブにより、ガイド本体を、使用者によって掴み部が掴まれる負荷に対して構造的に強い構成とすることができる。
【００１６】
また、本発明の乗物用シートベルトガイド装置は、次のように構成されていても良い。更に、掴み部のシート幅方向の外側の周囲側面及び／又は天板面に、ガイド本体の一般外表面とは異なる外表面色を有する加飾部が設けられる。
【００１７】
上記構成によれば、加飾部により、掴み部が形成されるガイド本体の頭部を目立たせて、掴み部の位置を使用者に対して視覚的に認識させやすくすることができる。また、掴み部の形成されたガイド本体の頭部を見栄え良く装飾することができる。
【００１８】
また、本発明の乗物用シートベルトガイド装置は、次のように構成されていても良い。シートバックのガイド本体が設けられた側の隣り合うエリアが乗員の通路とされる。
【００１９】
上記構成によれば、掴み部を、シートバックの傍らに立つ使用者が掴みやすい位置に設定することができる。
【図面の簡単な説明】
【００２０】
【図１】第１の実施形態に係る乗物用シートベルトガイド装置の概略構成を表した斜視図である。
【図２】図１の要部拡大図である。
【図３】同外側から見た斜視図である。
【図４】同後側から見た斜視図である。
【図５】同正面図である。
【図６】同平面図である。
【図７】乗物用シートベルトガイド装置の分解斜視図である。
【図８】同反対側から見た斜視図である。
【図９】図５のＩＸ−ＩＸ線断面図である。
【図１０】図６のＸ−Ｘ線断面図である。
【発明を実施するための形態】
【００２１】
以下に、本発明を実施するための形態について、図面を用いて説明する。
【００２２】
（第１の実施形態）
《シートベルトガイド装置５の概略構成について》
始めに、本発明の第１の実施形態に係るシートベルトガイド装置５（乗物用シートベルトガイド装置）の構成について、図１〜図１０を用いて説明する。なお、以下の説明において、前後上下左右等の各方向を示す場合には、各図中に示されたそれぞれの方向を指すものとする。また、「シート幅方向」と示す場合には、後述するシート１の左右方向を指すものとする。
【００２３】
図１に示すように、本実施形態に係るシートベルトガイド装置５は、自動車の左側座席を成すシート１に適用されている。上記シート１は、車内中央の前後方向に延びる通路Ａに隣り合わせる左側座席として構成されている。上記シート１は、着座乗員の背凭れ部となるシートバック２と、着座部となるシートクッション３と、頭凭れ部となるヘッドレスト４と、を備える。
【００２４】
上記シートバック２は、その左右両サイドの下端部が、それぞれ、不図示のリクライナを介してシートクッション３の左右両サイドの後端部に連結されている。シートクッション３は、その左右両サイドの底面部が、それぞれ、立板状のレッグ３Ａを介して車両のフロア上に連結されている。ヘッドレスト４は、シートバック２の上面部に上方から差し込まれて装着されている。上記シートバック２の車内中央の通路Ａに臨む右側の肩口部には、シートバック２に内蔵されたシートベルト装置６から繰り出されるシートベルトウェビング６Ａを前側へと通すシートベルトガイド装置５が設けられている。
【００２５】
上記シートベルトガイド装置５は、その本体部を成す樹脂製のガイド本体１０が、シートバック２の骨格を成す略逆Ｕ字形状に組まれた金属製のバックフレーム２Ｆの右肩口部に固定されている。具体的には、上記シートベルトガイド装置５は、そのガイド本体１０が、上記バックフレーム２Ｆの右肩口部に溶着された金属製のブラケット２Ｂの上方へと張り出す部分に取り付けられて固定されている。ここで、上記ブラケット２Ｂが、本発明の「支持フレーム」に相当する。
【００２６】
上記バックフレーム２Ｆは、シートバック２の右側部に沿った骨格を成す縦長な角管形状のタワーフレーム２Ｆ１と、同タワーフレーム２Ｆ１の上端部から左側へ略逆Ｌ字形状に折れ曲がる形に延びてシートバック２の上側部と左側部とに沿った骨格を成すパイプフレーム２Ｆ２と、から成る。上記タワーフレーム２Ｆ１は、前後方向に長い略矩形状の閉断面形状を持つ高い構造強度を備えた構成とされる。
【００２７】
上記シートベルトガイド装置５を支えるブラケット２Ｂは、図７に示すように、上記タワーフレーム２Ｆ１の上端部に上方から嵌合されて溶着されたパイプフレーム２Ｆ２の上面部とタワーフレーム２Ｆ１の背面部とに跨る形に嵌合されて溶着されている。それにより、上記ブラケット２Ｂが、上記構造強度の高いタワーフレーム２Ｆ１によって下側と後側とから強く支持された状態とされている。したがって、車両の急ブレーキ時や前部衝突の発生時等の際に、着座乗員の身体を支えるシートベルトウェビング６Ａからブラケット２Ｂに対して前方向への強い引張り荷重が掛けられても、同荷重を、上記ブラケット２Ｂを支えるタワーフレーム２Ｆ１によって強く受け止めることができる。
【００２８】
《ガイド本体１０の構成について》
ガイド本体１０は、図２〜図６に示すように、略四角錐台状に上方へ先細り状に張り出す立体形状とされる。上記ガイド本体１０の前側面部には、図１で前述したシートベルトウェビング６Ａを内部側から前側へと通す横長状の通し口１０Ａが貫通して形成されている。また、上記ガイド本体１０の周囲側面となる前側面、内側面（左側面）、及び後側面には、これらの面に跨って連続した凹形状に窪む凹部１０Ｂが形成されている。
【００２９】
そして、上記凹部１０Ｂの形成により、同凹部１０Ｂより上側の部分を成すガイド本体１０の頭部には、凹部１０Ｂよりも周縁形状の膨らむ掴み部１０Ｃが形成されている。上記構成により、ガイド本体１０は、使用者が車両中央の通路Ａに立った位置から掴み部１０Ｃを手で掴むことにより、その指を凹部１０Ｂに掛け入れさせて掴み部１０Ｃをしっかりと握るように掴むことができるようになっている。
【００３０】
詳しくは、上記ガイド本体１０は、上記凹部１０Ｂが前側面と内側面（左側面）と後側面とに跨る連続した凹形状に窪んでいることにより、次のように通路Ａ上の様々な位置や向きから掴み部１０Ｃを適切に掴めるようにすることができるようになっている。すなわち、ガイド本体１０は、通路Ａ上の使用者がその前側、外側、或いは後側のどの側に立つ位置から掴み部１０Ｃを掴んでも、その掴んだ手の指先の位置に凹部１０Ｂが位置するようになっている。
【００３１】
したがって、使用者が上記のどの側に立つ位置からであっても、掴み部１０Ｃをしっかりと掴むことができる。また、ガイド本体１０は、使用者が車両前向き、後向き、或いは横向きのどの向きから掴み部１０Ｃを掴んでも、その掴んだ手の指先の位置に凹部１０Ｂが位置するようになっている。したがって、使用者が上記のどの向きに立つ位置からであっても、掴み部１０Ｃをしっかりと掴むことができる。
【００３２】
上記凹部１０Ｂは、図５、図９及び図１０に示すように、その縦断面が緩やかな凹湾曲面状の形に窪む凹形状とされている。また、図５に示すように、上記凹部１０Ｂは、ガイド本体１０の前側面部に形成された前出の通し口１０Ａより上側の領域に形成されている。厳密には、上記通し口１０Ａは、凹部１０Ｂの形成領域における下側の縁部に沿った領域に形成されている。上記構成により、ガイド本体１０は、使用者が掴み部１０Ｃを手で掴んだ際に、その指が通し口１０Ａを通るシートベルトウェビング６Ａ（図１）に当たりにくくなっている。
【００３３】
また、上記ガイド本体１０は、上記のように略四角錐台状に上方へ先細り状に張り出す立体形状とされて、その周囲側面に凹部１０Ｂが形成されることで頭部に掴み部１０Ｃが形成された構成とされている。それにより、ガイド本体１０は、その頭部である掴み部１０Ｃが、ガイド本体１０の下側部分に対して頭でっかちな形に膨らむことなく、先細り状に延びるガイド本体１０の一部分を成すように、自然な先細り形状を描く形に設けられる構成とされる。
【００３４】
以下、上記ガイド本体１０の具体的な構成について、詳しく説明する。すなわち、ガイド本体１０は、図７〜図８に示すように、互いが前後に半ケース状の形に組み合わされる前側部品１１及び後側部品１２と、これらの外側面部（右側面部）間に挟持される形に組み付けられる細長な曲板形状の加飾部１３と、から構成される。上記の各部品は、インジェクション成形された樹脂部品により構成されている。
【００３５】
詳しくは、上記前側部品１１は、後側と下側とに開口した四半ケース状の形に形成されている。そして、図８に示すように、上記前側部品１１の後側縁部に沿った内周面上の複数の箇所には、後側部品１２の対応する各箇所に形成された各被嵌合部１２Ａをそれぞれ後側から差し込んでスナップフィット嵌合させることのできる嵌合部１１Ａが突出して形成されている。
【００３６】
また、上記前側部品１１の各嵌合部１１Ａの形成された内周面上の各箇所の間には、内周面上から突出するリブ１１Ｃが形成されている。また、上記前側部品１１の前側面部の内周面上の左右２箇所の位置には、後側へ向かって略円筒形状に突出する締結部１１Ｂが形成されている。また、これら締結部１１Ｂの外周面と前側部品１１の内周面との間には、これらの間を架橋状に繋ぐ複数の立板状のリブ１１Ｂ１が形成されている。同リブ１１Ｂ１により、各締結部１１Ｂが前側部品１１の内周面に対して横倒れしにくいように補強されている。
【００３７】
後側部品１２は、図７〜図８に示すように、前側と下側とに開口した四半ケース状の形に形成されている。そして、図７に示すように、上記後側部品１２の前側縁部に沿った内周面上の複数の箇所には、上記前側部品１１の対応する各箇所に形成された各嵌合部１１Ａにそれぞれ後側から差し込まれることでスナップフィット嵌合する被嵌合部１２Ａが突出して形成されている。また、上記後側部品１２の各被嵌合部１２Ａの形成された内周面上の各箇所の間には、内周面上から突出するリブ１２Ｂが形成されている。
【００３８】
上記後側部品１２は、上記各被嵌合部１２Ａを前側部品１１の対応する各嵌合部１１Ａに後側から差し込んでスナップフィット嵌合させることにより、前側部品１１と互いの前後側の縁部同士が突き当てられて面一状の外周面を成す形に組み付けられるようになっている。
【００３９】
加飾部１３は、図２〜図６に示すように、ガイド本体１０の外側面（右側面）と天板面とに跨って連続した帯状の外表面を成す形に設けられる、略逆Ｌ字板状に湾曲した細長な板状部材から成る。上記略逆Ｌ字板状の形に湾曲した加飾部１３には、図７〜図８に示すように、その内周面部上の中間箇所に、断面略逆Ｔ字形状に突出する挟持片１３Ａが形成されている。
【００４０】
上記加飾部１３は、上記前側部品１１と後側部品１２とが組み合わされる際に、これらの外側面部（右側面部）間に挟持片１３Ａを挟み込ませる形に組み付けられることにより、同挟持片１３Ａを介して前側部品１１と後側部品１２との間に一体的に挟持された状態として組み付けられている。
【００４１】
詳しくは、上記挟持片１３Ａは、上記前側部品１１と後側部品１２との組み付けにより、そのＴ字の脚部分が、前側部品１１の後側縁部に形成された切欠き溝１１Ｄ（図８参照）に嵌り込んで、後側部品１２の前側縁部との間に挟み込まれた状態にセットされる。それにより、挟持片１３Ａが、そのＴ字の天板部分と加飾部１３の本体部分との間に、前側部品１１の外側面部と後側部品１２の外側面部とをそれぞれ幅方向に挟み込んだ形にセットされる。
【００４２】
それにより、加飾部１３が、前側部品１１と後側部品１２との間に一体的に嵌合された状態に組み付けられる。詳しくは、上記前側部品１１と後側部品１２とが、互いの間に挟持片１３Ａを挟み込む構成であっても、互いの間に隙間が形成されることなく、連続した面一状の外周面を成す形に組み付けられる。
【００４３】
ところで、上記ガイド本体１０は、上記バックフレーム２Ｆの右肩口部に固定されたブラケット２Ｂに対して、次のように組み付けられている。先ず、前側部品１１を、上記ブラケット２Ｂ上に固定された立板状の支持プレート２Ｂ１に前側から覆い被せる形にセットする。上記支持プレート２Ｂ１は、ブラケット２Ｂ上に固定された正面視略Ｕ字状に上方へ張り出す支持ワイヤ２Ｂ２の両脚部間に一体的に架橋されて設けられている。それにより、支持プレート２Ｂ１は、前後方向に面を向ける形でブラケット２Ｂ上から立ち上がる形に設けられている。
【００４４】
上記前側部品１１を支持プレート２Ｂ１にセットした後、同支持プレート２Ｂ１に前側から突き当てられた各締結部１１Ｂに対して、それぞれ支持プレート２Ｂ１の後側からビスＢを差し込んで締結する。これにより、前側部品１１が支持プレート２Ｂ１に一体的に固定された状態に組み付けられる。次に、上記組み付けられた前側部品１１に対して、後側から互いの間に加飾部１３を挟み込むように後側部品１２を組み付ける形にセットする。
【００４５】
これにより、後側部品１２の各被嵌合部１２Ａが前側部品１１の対応する各嵌合部１１Ａに差し込まれてスナップフィット嵌合し、後側部品１２が前側部品１１に一体的に固定された状態に組み付けられる。また、加飾部１３が、前側部品１１と後側部品１２との間に一体的に挟み込まれた状態に組み付けられる。詳しくは、上記加飾部１３は、上記組み付けにより、その外周面が、互いに面一状を成す前側部品１１の外周面及び後側部品１２の外周面よりも僅かに膨らむ略面一状の面を成す形に組み付けられる（図５及び図９参照）。
【００４６】
上記前側部品１１の外周面と後側部品１２の外周面とは、互いに一体感のある同一の外表面色を有する構成とされる。しかし、加飾部１３の外周面は、上記前側部品１１の外周面及び後側部品１２の外周面とは異なる外表面色を有する構成とされる。それにより、ガイド本体１０は、加飾部１３が前側部品１１及び後側部品１２に対して部分的に目立つ外観を形成して、使用者に対してガイド本体１０の頭部を視覚的に認識させやすくすることができるようになっている。
【００４７】
したがって、使用者が車両中央の通路Ａ上を通る際に、上記加飾部１３により目立つ色彩とされたガイド本体１０の頭部の掴み部１０Ｃを視覚的に簡便に認識して、掴み部１０Ｃを掴むことができる。上記加飾部１３と前側部品１１及び後側部品１２との外表面色の組み合わせは、互いが異なる外表面色となる組み合わせから成るものであれば、特にどのような組み合わせから成るものであっても良い。
【００４８】
図１０に示すように、上記ガイド本体１０は、上記ブラケット２Ｂに組み付けられた状態では、その前側部品１１の内周面上から突出する各リブ１１Ｃ，１２Ｂ及び後側部品１２の内周面上から突出する各リブ１１Ｃ，１２Ｂが、ブラケット２Ｂの支持ワイヤ２Ｂ２に向かって外周側から張り出す形にセットされるようになっている。上記構成により、ガイド本体１０は、掴み部１０Ｃが使用者により掴まれてシート幅方向に強い力を加えられても、上記各リブ１１Ｃ，１２Ｂが支持ワイヤ２Ｂ２に外周側から当接することで、シート幅方向に大きく押し撓まされることなくその力をブラケット２Ｂに伝達して受け止められるようになっている。ここで、各リブ１１Ｃ，１２Ｂが、それぞれ、本発明の「リブ」に相当する。
【００４９】
《まとめ》
以上をまとめると、第１の実施形態に係るシートベルトガイド装置５は次のような構成となっている。すなわち、シートバック（２）の肩口部に設けられてシートベルトウェビング（６Ａ）を通すガイド本体（１０）を備えた乗物用シートベルトガイド装置（５）である。ガイド本体（１０）が、ガイド本体（１０）の周囲側面に形成される凹部（１０Ｂ）と、凹部（１０Ｂ）の形成によりガイド本体（１０）の頭部に膨らむ形に形成される掴み部（１０Ｃ）と、を有する。凹部（１０Ｂ）が、使用者により掴み部（１０Ｃ）が掴まれた際の指の掛け入れ部とされる。
【００５０】
上記構成によれば、シートバック（２）の肩口部に設けられるガイド本体（１０）の頭部に膨らみ状の掴み部（１０Ｃ）が形成されることで、シートバック（２）の傍らに立つ乗員や後部側座席に座る乗員等の使用者が、所望時に掴み部（１０Ｃ）に簡便に手を届かせて、掴み部（１０Ｃ）を凹部（１０Ｂ）に指を掛け入れた状態としてしっかりと掴むことができる。また、掴み部（１０Ｃ）をガイド本体（１０）の形状を利用して少ない部品点数で合理的に形成することができる。
【００５１】
また、掴み部（１０Ｃ）が、ガイド本体（１０）のシートベルトウェビング（６Ａ）の通される通し口（１０Ａ）より上側の位置に形成される。上記構成によれば、使用者が、シートベルトウェビング（６Ａ）に触れることなく、掴み部（１０Ｃ）だけを適切に掴むことができる。
【００５２】
また、ガイド本体（１０）が、全体として略錐台状に上方へ先細り状に張り出す立体形状とされる。上記構成によれば、掴み部（１０Ｃ）をガイド本体（１０）に頭でっかちな形で設けることなく、ガイド本体（１０）の一部分を成すよう自然な先細り形状を描く形に設けることができる。
【００５３】
また、凹部（１０Ｂ）が、ガイド本体（１０）のシート幅方向の外側の周囲側面にはなく、シート幅方向の内側の周囲側面、前側面、及び／又は後側面に形成される。上記構成によれば、使用者がシートバック（２）の傍らに立つ位置、後斜めに立つ位置、及び／又は前斜めに立つ位置から、掴み部（１０Ｃ）を凹部（１０Ｂ）に適切に指を掛け入れた状態として掴むことができる。
【００５４】
また、ガイド本体（１０）の内周面部に、シートバック（２）の内部骨格と結合されてガイド本体（１０）内に張り出す支持フレーム（２Ｂ）に向かって張り出すリブ（１１Ｃ，１２Ｂ）を有する。上記構成によれば、ガイド本体（１０）の内周面部に形成されるリブ（１１Ｃ，１２Ｂ）により、ガイド本体（１０）を、が使用者によって掴み部（１０Ｃ）が掴まれる負荷に対して構造的に強い構成とすることができる。
【００５５】
更に、掴み部（１０Ｃ）のシート幅方向の外側の周囲側面及び／又は天板面に、ガイド本体（１０）の一般外表面とは異なる外表面色を有する加飾部（１３）が設けられる。上記構成によれば、加飾部（１３）により、掴み部（１０Ｃ）が形成されるガイド本体（１０）の頭部を目立たせて、掴み部（１０Ｃ）の位置を使用者に対して視覚的に認識させやすくすることができる。また、掴み部（１０Ｃ）の形成されたガイド本体（１０）の頭部を見栄え良く装飾することができる。
【００５６】
また、シートバック（２）のガイド本体（１０）が設けられた側の隣り合うエリアが乗員の通路（Ａ）とされる。上記構成によれば、掴み部（１０Ｃ）を、シートバック（２）の傍らに立つ使用者が掴みやすい位置に設定することができる。
【００５７】
（その他の実施形態）
以上、本発明の実施形態を１つの実施形態を用いて説明したが、本発明は上記実施形態のほか各種の形態で実施することができるものである。
【００５８】
１．本発明の乗物用シートベルトガイド装置の構成は、鉄道等の自動車以外の車両や、航空機、船舶等の他の乗物用に供されるシートベルトガイド装置にも広く適用することができるものである。また、本発明の構成は、一人掛け用のシートの他、ベンチシート等の複数人掛け用のシートにも適用することができるものである。
【００５９】
また、乗物用シートベルトガイド装置は、自動車の乗降ドアに隣接するアウターの肩口部に設けられて、乗員が上記乗物用シートベルトガイド装置が設けられたシートの後側のシートに乗り込んだり後側のシートから降車したりする際のグリップとして機能するように設けられるものであっても良い。また、乗物用シートベルトガイド装置は、上記乗員の乗降時にグリップとして機能するものの他、当該乗物用シートベルトガイド装置が設けられたシートバックを前後に倒す操作を行う際のグリップとして機能するものであっても良い。
【００６０】
２．ガイド本体に形成される凹部は、ガイド本体の幅方向もしくは前後方向の距離を上下の部位よりも小さくするものの他、距離を同じとして全体形状を曲げるものであっても良い。また、凹部は、シート幅方向の内側の周囲側面、前側面、及び／又は後側面のどの領域に形成されても良い。
【００６１】
３．ガイド本体は、全体が略四角錐台以外の角錐台、或いは円錐台等の他の錐台状の形で上方へ先細り状に張り出す立体形状から成るものであっても良い。また、ガイド本体は、その幅方向及び前後方向の距離が略一定の形で上方へ略寸胴状に張り出す立体形状から成るものであっても良い。また、掴み部は、ガイド本体の凹部の形成領域から下側に外れた領域の形状よりも幅方向もしくは前後方向の距離が大きくなる頭でっかちな形状から成るものであっても良い。
【００６２】
４．ガイド本体の加飾部は、ガイド本体の一般外表面を成す前側部品或いは後側部品等の他の構成部品とシームレスに繋がる一体部品で構成されていても良い。すなわち、加飾部は、ガイド本体の一般外表面を成す部品の一部が異なる外表面色を成す形に着色されて形成されるものであっても良い。また、加飾部は、ガイド本体の一部に貼着されるシール部材から成るものであっても良い。
【符号の説明】
【００６３】
１      シート
２      シートバック
２Ｆ    バックフレーム
２Ｆ１  タワーフレーム
２Ｆ２  パイプフレーム
２Ｂ    ブラケット（支持フレーム）
２Ｂ１  支持プレート
２Ｂ２  支持ワイヤ
３      シートクッション
３Ａ    レッグ
４      ヘッドレスト
５      シートベルトガイド装置（乗物用シートベルトガイド装置）
６      シートベルト装置
６Ａ    シートベルトウェビング
１０    ガイド本体
１０Ａ  通し口
１０Ｂ  凹部
１０Ｃ  掴み部
１１    前側部品
１１Ａ  嵌合部
１１Ｂ  締結部
１１Ｂ１  リブ
１１Ｃ  リブ（リブ）
１１Ｄ  切欠き溝
１２    後側部品
１２Ａ  被嵌合部
１２Ｂ  リブ（リブ）
１３    加飾部
１３Ａ  挟持片
Ａ      通路
Ｂ      ビス
【図１】
2020121577.tif 000003
【図２】
2020121577.tif 000004
【図３】
2020121577.tif 000005
【図４】
2020121577.tif 000006
【図５】
2020121577.tif 000007
【図６】
2020121577.tif 000008
【図７】
2020121577.tif 000009
【図８】
2020121577.tif 000010
【図９】
2020121577.tif 000011
【図１０】
2020121577.tif 000012